【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
コンピュータで音響エコーを消去するための処理方法であって、
コンピュータが、受信した再生データ及び対応するキャプチャデータを周波数領域に変換することと、
コンピュータが、エコーを消去する異なる適応技術を使用する複数の音響エコー消去フィルタを用いて前記再生データ及び前記キャプチャデータを処理して、複数の音響エコー消去出力を生成することであって、前記異なる適応技術を使用する複数の音響エコー消去フィルタで再生データ及びキャプチャデータを処理することが、
（ａ）コンピュータが、再生データ及びキャプチャデータを高周波数帯及び低周波数帯に分割することと、
（ｂ）前記再生データ及びキャプチャデータの高周波数帯に対して、
コンピュータが、高速適応音響エコー消去出力を計算することと、
コンピュータが、前記高周波数帯に対しては前記高速適応音響エコー消去出力を前記音響エコー消去出力として選択することと、
（ｃ）前記再生データ及びキャプチャデータの低周波数帯に対して、
コンピュータが、平滑適応音響エコー消去出力を計算することと、
コンピュータが、高速適応音響エコー消去出力を計算することと、
コンピュータが、平滑適応音響エコー消去収束統計値を計算することと、
コンピュータが、前記平滑適応音響エコー消去出力が収束したかどうか判定するために前記平滑適応収束統計値を使用することと、
前記平滑適応音響エコー消去出力が収束したならば、コンピュータが、前記低周波数帯に対して前記平滑適応音響エコー消去出力を前記音響エコー消去出力として選択することと、
前記平滑適応音響エコー消去出力が収束していないならば、コンピュータが、前記低周波数帯に対して前記高速適応音響エコー消去出力を前記音響エコー消去出力として選択すること、を含むことと、
コンピュータが、前記複数の音響エコー消去フィルタの前記音響エコー消去出力を結合して、前記周波数領域における最終エコー消去出力を生成することと
を含むことを特徴とする処理方法。
【請求項２】
コンピュータが、前記周波数領域内の前記最終エコー消去出力を時間領域に変換して、処理された近端音声を生成することをさらに含む請求項１に記載の処理方法。
【請求項３】
前記複数の異なる適応技術は、適応音響エコー消去フィルターアルゴリズムの収束を達成するのを試みる際に、異なるパラメータを使用し、
前記異なるパラメータは、
収束アルゴリズムステップサイズ、
タップ数、
正則化定数、及び
忘却係数
のうちの少なくとも１つを含むことを特徴とする請求項１に記載の処理方法。
【請求項４】
高速適応音響エコー消去出力の各々は、正規化最小平均二乗（ＮＬＭＳ）処理手順を用いて計算され、
平滑適応音響エコー消去出力の各々は、負のモーメンタム項を使用するモーメンタム正規化最小平均二乗（ＭＮＬＭＳ）処理手順を用いて計算され、
高速適応音響エコー消去出力の各々は、
最小二乗平均（ＬＭＳ）処理手順、
再帰最小二乗（ＲＬＳ）処理手順、
高速再帰最小二乗（ＦＲＬＳ）処理手順、又は
正のモーメンタム項を使用するモーメンタム正規化最小平均二乗（ＭＮＬＭＳ）処理手順のうちの１つを用いて計算される
ことを特徴とする請求項１に記載の処理方法。
【請求項５】
平滑適応音響エコー消去収束統計値を計算することは、コンピュータが、前記再生データを前記平滑適応音響エコー消去出力に相互相関させることを含み、
平滑適応収束統計値を計算することは、
コンピュータが、平滑適応音響エコー消去出力と第１の周波数帯の再生データスペクトル係数を受信することと、
前記第１の周波数帯及び残りの周波数帯に対して、
コンピュータが、前記平滑適応音響エコー消去出力に関する出力スペクトル密度の推定値を計算することと、
コンピュータが、前記再生データに関する前記出力スペクトル密度の推定値を計算することと、
コンピュータが、前記平滑適応音響エコー消去出力と前記再生データとの間の相互出力スペクトル密度を計算することと、
コンピュータが、前記平滑適応音響エコー消去出力と現在の再生フレームに対する前記再生データとの間の相互相関係数を計算することと、
コンピュータが、前記現在のフレーム及び先のフレームにわたって前記相互相関係数を平均化して、平均相互相関係数を生成することと、
コンピュータが、前記平滑適応音響エコー消去出力が収束したかどうか判定する際に、前記平均相互相関係数を前記平滑適応音響エコー消去収束統計値として使用することと
を含むことを特徴とする請求項１に記載の処理方法。
【請求項６】
前記平滑適応音響エコー消去出力が収束したかどうか判定する際に、前記平均相互相関係数を前記平滑適応音響エコー消去収束統計値として使用することは、
コンピュータが、前記平均相互相関係数を閾値と比較すること、
前記平均相互相関係数が前記周波数帯の半分以上において前記閾値以下であるならば、コンピュータが、前記平滑適応音響エコー消去出力が収束したと判定すること、
前記平均相互相関係数が前記周波数帯の半分以上において前記閾値以下でないならば、コンピュータが、前記平滑適応音響エコー消去出力が収束していないと判定すること
を含むことを特徴とする請求項５に記載の処理方法。
【請求項７】
正規化最小二乗平均処理手順を用いた高速適応音響エコー消去出力を計算することは、前記高速適応音響エコー消去出力の収束を促進する異なるステップサイズを使用することを含むことを特徴とする請求項５に記載の処理方法。
【請求項８】
請求項１乃至７のいずれかに記載の処理方法をプロセッサーに実行させるためのプログラムを記録したことを特徴とするコンピュータが読み取り可能な記憶媒体
【請求項９】
請求項１乃至７のいずれかに記載の処理方法を実行するように構成された手段を備えたシステム。
【請求項１０】
コンピュータで音響エコーを消去するための処理方法であって、
コンピュータが、受信した再生データ及び対応するキャプチャデータを周波数領域に変換することと、
コンピュータが、エコーを消去する異なる適応技術を使用する複数の音響エコー消去フィルタを用いて前記再生データ及び前記キャプチャデータを処理して、複数の音響エコー消去出力を生成することであって、前記異なる適応技術を使用する複数の音響エコー消去フィルタで再生データ及びキャプチャデータを処理することが、
（ａ）コンピュータが、再生データ及びキャプチャデータを高周波数帯及び低周波数帯に分割することと、
（ｂ）前記再生データ及びキャプチャデータの高周波数帯に対して、
コンピュータが、高速適応音響エコー消去出力を計算することと、
コンピュータが、前記高周波数帯に対しては前記高速適応音響エコー消去出力を前記音響エコー消去出力として選択することと、
（ｃ）前記再生データ及びキャプチャデータの低周波数帯に対して、
コンピュータが、モーメンタム正規化最小平均二乗（ＭＮＬＭＳ）処理手順を用いて平滑適応音響エコー消去出力を計算することと、
コンピュータが、低周波数帯に対しては平滑適応音響エコー消去出力を前記音響エコー消去出力として計算することと、
コンピュータが、前記複数の音響エコー消去フィルタの前記音響エコー消去出力を結合して、前記周波数領域における最終エコー消去出力を生成することと
を含むことを特徴とする処理方法。
【請求項１１】
請求項１０に記載の処理方法をプロセッサーに実行させるためのプログラムを記録したことを特徴とするコンピュータが読み取り可能な記憶媒体。
【請求項１２】
請求項１０に記載の処理方法を実行するように構成された手段を備えたシステム。
【請求項１３】
コンピュータで音響エコーを消去するための処理方法であって、
コンピュータが、受信した再生データ及び対応するキャプチャデータを周波数領域に変換することと、
コンピュータが、エコーを消去する異なる適応技術を使用する複数の音響エコー消去フィルタを用いて前記再生データ及び前記キャプチャデータを処理して、複数の音響エコー消去出力を生成することであって、前記異なる適応技術を使用する複数の音響エコー消去フィルタで再生データ及びキャプチャデータを処理することが、
コンピュータが、平滑適応音響エコー消去出力を計算することと、
コンピュータが、高速適応音響エコー消去出力を計算することと、
コンピュータが、平滑適応音響エコー消去収束統計値を計算することと、
コンピュータが、前記平滑適応音響エコー消去出力が収束したかどうか判定するために前記平滑適応収束統計値を使用することと、
前記平滑適応音響エコー消去出力が収束したならば、コンピュータが、前記平滑適応音響エコー消去出力を最終音響エコー消去出力として選択することと、
前記平滑適応音響エコー消去出力が収束していないならば、コンピュータが、前記高速適応音響エコー消去出力を最終音響エコー消去出力として選択すること、を含むことと、
コンピュータが、前記複数の音響エコー消去フィルタの前記音響エコー消去出力を結合して、前記周波数領域における最終エコー消去出力を生成することと
を含むことを特徴とする処理方法。
【請求項１４】
請求項１３に記載の処理方法をプロセッサーに実行させるためのプログラムを記録したことを特徴とするコンピュータが読み取り可能な記憶媒体。
【請求項１５】
請求項１３に記載の処理方法を実行するように構成された手段を備えたシステム。